(57)【要約】      （修正有）【課題】強制分岐部により搬送部から分岐させられた硬貨を収納する例えば金種毎の収納部の配置に柔軟性を持たせることができ、よって金融機関等の運用や操作者のニーズに合った運用を行うことができるため使い勝手を良好なものとすることができる硬貨処理装置および硬貨処理方法を提供する。【解決手段】硬貨処理装置１０は、硬貨の搬送を行う搬送部２４と、搬送部２４により搬送される硬貨を当該搬送部２４から強制的に分岐させるための強制分岐部３４（３４ａ〜３４ｆ）と、強制分岐部３４（３４ａ〜３４ｆ）により搬送部２４から分岐させられるべき硬貨の種類を設定する設定手段とを備えている。【選択図】図２
2017037393.tif 000002
【特許請求の範囲】
【請求項１】
硬貨の搬送を行う搬送部と、
前記搬送部により搬送される硬貨を当該搬送部から強制的に分岐させるための強制分岐部と、
前記強制分岐部により前記搬送部から分岐させられるべき硬貨の種類を設定する設定手段と、
を備えた、硬貨処理装置。
【請求項２】
前記設定手段により、前記強制分岐部により前記搬送部から分岐させられるべき硬貨の種類として硬貨の金種が設定されるようになっており、
前記強制分岐部は、少なくとも前記硬貨処理装置により処理されるべき硬貨の金種の数だけ設けられており、複数の前記強制分岐部は前記搬送部による硬貨の搬送方向に沿って並ぶよう配置されている、請求項１記載の硬貨処理装置。
【請求項３】
前記設定手段は、前記強制分岐部により前記搬送部から分岐させられるべき硬貨の種類として硬貨のリジェクト要因も設定することができるようになっている、請求項１または２記載の硬貨処理装置。
【請求項４】
前記搬送部は、線状部材と、前記線状部材の長手方向に沿って並ぶよう当該線状部材に設けられた複数の突起とを有しており、前記線状部材が長手方向に沿って移動することによって前記突起により硬貨が押動されることにより硬貨が搬送されるようになっている、請求項１乃至３のいずれか一項に記載の硬貨処理装置。
【請求項５】
前記搬送部に設けられ、当該搬送部により搬送される硬貨を識別する識別部と、
硬貨の収納を行う収納部と、
を更に備え、
前記強制分岐部は、前記搬送部から分岐させた硬貨を前記収納部に送る収納用強制分岐部と、前記搬送部から分岐させた硬貨を前記収納部以外の箇所に送る計数用強制分岐部とを有しており、
前記搬送部により搬送される硬貨を前記識別部による識別結果に基づいて前記収納用強制分岐部により前記収納部に収納させる収納モード、および前記搬送部により搬送される硬貨を前記識別部により計数して前記計数用強制分岐部により前記収納部以外の箇所に送る計数モードのうち何れかの処理モードを選択する処理モード選択手段が設けられており、
前記処理モード選択手段により前記計数モードが選択されたときに、前記搬送部における隣り合う２つの前記突起の間に複数の硬貨が入れられながら当該硬貨が前記搬送部により搬送される、請求項４記載の硬貨処理装置。
【請求項６】
前記搬送部により搬送される硬貨をリジェクトするリジェクト部を更に備え、
前記識別部による識別結果に基づく、前記搬送部における隣り合う２つの前記突起の間に入れられる複数の硬貨の金種が互いに異なる場合には、これらの複数の硬貨が前記リジェクト部によりリジェクトされる、請求項５記載の硬貨処理装置。
【請求項７】
硬貨の搬送を行う搬送部と、前記搬送部により搬送される硬貨を当該搬送部から強制的に分岐させるための強制分岐部とを備えた硬貨処理装置による硬貨処理方法であって、
前記強制分岐部により前記搬送部から分岐させられるべき硬貨の種類を設定手段により予め設定する工程と、
前記搬送部により硬貨の搬送を行う工程と、
前記設定手段による設定内容に基づいて、前記搬送部により搬送される硬貨を前記強制分岐部により当該搬送部から分岐させる工程と、
を備えた、硬貨処理方法。
【発明の詳細な説明】
【技術分野】
【０００１】
本発明は、硬貨の入金処理等の処理を行う硬貨処理装置およびこのような硬貨処理装置による硬貨処理方法に関する。
【背景技術】
【０００２】
従来から、硬貨の入金処理等の処理を行う硬貨処理装置として様々なタイプのものが知られている。例えば、特許文献１には、機体内に投入された硬貨を金種別に選別し、選別された各金種の硬貨を当該金種に対応するカセットに収納させる硬貨選別機が開示されている。特許文献１に開示される硬貨選別機によれば、硬貨通路に沿って搬送される硬貨を金種別に分類する正常硬貨分類手段として、硬貨の直径に応じた金種別の選別孔が硬貨通路に設けられており、金種別の選別孔の下方には金種別のカセットが選別孔の配列方向に沿って配列されている。より詳細には、硬貨通路の最も下流側の直線部分に沿って小径硬貨から大径硬貨の順に選別孔を配列し、小径硬貨から大径硬貨の順に硬貨通路から選別孔により落下させて分類している。
【先行技術文献】
【特許文献】
【０００３】
【特許文献１】特開平１０−７９０６７号公報
【発明の概要】
【発明が解決しようとする課題】
【０００４】
特許文献１に開示されるような従来の硬貨選別機のように、硬貨通路に沿って搬送される硬貨を金種別に分類する分類手段として、硬貨の直径に応じた金種別の選別孔を硬貨通路に設けた場合には、金種別の選別孔の下方に設けられる金種別のカセットの設置場所も金種毎に固定されてしまい、金種別のカセットの配置に柔軟性を持たせることができず、硬貨選別機そのものの使い方が限定されてしまうという問題があった。このため、特許文献１に開示されるような従来の硬貨選別機では、当該硬貨選別機が設置される金融機関等の運用や操作者のニーズに合った運用を行うことができず、使い勝手が悪いという問題があった。
【０００５】
本発明は、このような点を考慮してなされたものであり、強制分岐部により搬送部から分岐させられた硬貨を収納する例えば金種毎の収納部の配置に柔軟性を持たせることができ、よって金融機関等の運用や操作者のニーズに合った運用を行うことができるため使い勝手を良好なものとすることができる硬貨処理装置および硬貨処理方法を提供することを目的とする。
【課題を解決するための手段】
【０００６】
本発明の硬貨処理装置は、硬貨の搬送を行う搬送部と、前記搬送部により搬送される硬貨を当該搬送部から強制的に分岐させるための強制分岐部と、前記強制分岐部により前記搬送部から分岐させられるべき硬貨の種類を設定する設定手段と、を備えたことを特徴とする。
【０００７】
このような硬貨処理装置によれば、搬送部により搬送される硬貨を当該搬送部から強制的に分岐させるための強制分岐部を設けるとともに、強制分岐部により搬送部から分岐させられるべき硬貨の種類を設定手段により設定することにより、強制分岐部により搬送部から分岐させられた硬貨を収納する例えば金種毎の収納部の配置に柔軟性を持たせることができ、よって金融機関等の運用や操作者のニーズに合った運用を行うことができるため使い勝手を良好なものとすることができる。
【０００８】
本発明の硬貨処理装置においては、前記設定手段により、前記強制分岐部により前記搬送部から分岐させられるべき硬貨の種類として硬貨の金種が設定されるようになっており、前記強制分岐部は、少なくとも前記硬貨処理装置により処理されるべき硬貨の金種の数だけ設けられており、複数の前記強制分岐部は前記搬送部による硬貨の搬送方向に沿って並ぶよう配置されていてもよい。
【０００９】
本発明の硬貨処理装置においては、前記設定手段は、前記強制分岐部により前記搬送部から分岐させられるべき硬貨の種類として硬貨のリジェクト要因も設定することができるようになっていてもよい。
【００１０】
本発明の硬貨処理装置においては、前記搬送部は、線状部材と、前記線状部材の長手方向に沿って並ぶよう当該線状部材に設けられた複数の突起とを有しており、前記線状部材が長手方向に沿って移動することによって前記突起により硬貨が押動されることにより硬貨が搬送されるようになっていてもよい。
【００１１】
この場合、本発明の硬貨処理装置は、前記搬送部に設けられ、当該搬送部により搬送される硬貨を識別する識別部と、硬貨の収納を行う収納部と、を更に備え、前記強制分岐部は、前記搬送部から分岐させた硬貨を前記収納部に送る収納用強制分岐部と、前記搬送部から分岐させた硬貨を前記収納部以外の箇所に送る計数用強制分岐部とを有しており、前記搬送部により搬送される硬貨を前記識別部による識別結果に基づいて前記収納用強制分岐部により前記収納部に収納させる収納モード、および前記搬送部により搬送される硬貨を前記識別部により計数して前記計数用強制分岐部により前記収納部以外の箇所に送る計数モードのうち何れかの処理モードを選択する処理モード選択手段が設けられており、前記処理モード選択手段により前記計数モードが選択されたときに、前記搬送部における隣り合う２つの前記突起の間に複数の硬貨が入れられながら当該硬貨が前記搬送部により搬送されるようになっていてもよい。
【００１２】
また、本発明の硬貨処理装置は、前記搬送部により搬送される硬貨をリジェクトするリジェクト部を更に備え、前記識別部による識別結果に基づく、前記搬送部における隣り合う２つの前記突起の間に入れられる複数の硬貨の金種が互いに異なる場合には、これらの複数の硬貨が前記リジェクト部によりリジェクトされるようになっていてもよい。
【００１３】
本発明の硬貨処理方法は、硬貨の搬送を行う搬送部と、前記搬送部により搬送される硬貨を当該搬送部から強制的に分岐させるための強制分岐部とを備えた硬貨処理装置による硬貨処理方法であって、前記強制分岐部により前記搬送部から分岐させられるべき硬貨の種類を設定手段により予め設定する工程と、前記搬送部により硬貨の搬送を行う工程と、前記設定手段による設定内容に基づいて、前記搬送部により搬送される硬貨を前記強制分岐部により当該搬送部から分岐させる工程と、を備えたことを特徴とする。
【００１４】
このような硬貨処理方法によれば、強制分岐部により搬送部から分岐させられるべき硬貨の種類を設定手段により予め設定し、設定手段による設定内容に基づいて、搬送部により搬送される硬貨を強制分岐部により当該搬送部から分岐させることにより、強制分岐部により搬送部から分岐させられた硬貨を収納する例えば金種毎の収納部の配置に柔軟性を持たせることができ、よって金融機関等の運用や操作者のニーズに合った運用を行うことができるため使い勝手を良好なものとすることができる。
【発明の効果】
【００１５】
本発明の硬貨処理装置および硬貨処理方法によれば、強制分岐部により搬送部から分岐させられた硬貨を収納する例えば金種毎の収納部の配置に柔軟性を持たせることができ、よって金融機関等の運用や操作者のニーズに合った運用を行うことができるため使い勝手を良好なものとすることができる。
【図面の簡単な説明】
【００１６】
【図１】本発明の実施の形態による硬貨処理装置の外観を示す斜視図である。
【図２】図１に示す硬貨処理装置の内部構成を概略的に示す概略構成図である。
【図３】図１に示す硬貨処理装置における搬送部や強制分岐部等の構成を示す構成図である。
【図４】図３に示す強制分岐部の構成の詳細を示す構成図である。
【図５】図４に示す強制分岐部の近傍に設けられた押し付け部の構成および作用を示す縦断面図である。
【図６】図１等に示す硬貨処理装置における制御系の構成を示す機能ブロック図である。
【図７】変形例に係る硬貨処理装置の内部構成を概略的に示す概略構成図である。
【図８】図７に示す硬貨処理装置における制御系の構成を示す機能ブロック図である。
【発明を実施するための形態】
【００１７】
以下、図面を参照して本発明の実施の形態について説明する。図１乃至図６は、本実施の形態に係る硬貨処理装置を示す図である。このうち、図１は、本実施の形態による硬貨処理装置の外観を示す斜視図であり、図２は、図１に示す硬貨処理装置の内部構成を概略的に示す概略構成図である。また、図３は、図１に示す硬貨処理装置における搬送部や強制分岐部等の構成を示す構成図であり、図４は、図３に示す強制分岐部の構成の詳細を示す構成図であり、図５は、図４に示す強制分岐部の近傍に設けられた押し付け部の構成および作用を示す縦断面図である。また、図６は、図１等に示す硬貨処理装置における制御系の構成を示す機能ブロック図である。
【００１８】
図１および図２に示すように、本実施の形態による硬貨処理装置１０は、略直方体形状の筐体１２と、筐体１２の上面に設けられ、当該筐体１２の外部から内部に硬貨を投入するための硬貨投入口１８と、硬貨投入口１８により筐体１２の内部に投入された硬貨を繰り出す繰出部２０と、繰出部２０により繰り出された硬貨を搬送する搬送部２４とを備えている。なお、図２は、図１に示す硬貨処理装置１０の内部の構成を概略的に示す図である。また、搬送部２４には、当該搬送部２４により搬送される硬貨の金種、真偽、正損、新旧、搬送状態等を識別する識別部２６が設けられている。また、筐体１２の内部には、硬貨を金種別に収納する複数（具体的には、例えば６つ）の収納部３２（３２ａ〜３２ｆ）および識別部２６により正常な硬貨ではないと識別された硬貨や識別部２６により識別することができなかった硬貨が収納されるリジェクト部２８がそれぞれ設けられている。各収納部３２（３２ａ〜３２ｆ）およびリジェクト部２８はそれぞれ筐体１２の前面から手前側に引き出し可能な収納ボックス等からなる。
【００１９】
また、搬送部２４による硬貨の搬送方向における識別部２６の下流側には、当該搬送部２４により搬送される硬貨をリジェクト部２８に分岐させるためのリジェクト分岐部３０が設けられており、また、搬送部２４による硬貨の搬送方向におけるリジェクト分岐部３０の更に下流側には、当該搬送部２４により搬送される硬貨を各収納部３２（３２ａ〜３２ｆ）にそれぞれ強制的に分岐させるための複数（具体的には、例えば６つ）の強制分岐部３４（３４ａ〜３４ｆ）が設けられている。また、筐体１２の外面には、硬貨処理装置１０における硬貨の処理状況や、各収納部３２（３２ａ〜３２ｆ）に収納されている硬貨の金種毎の在高等の情報を表示するタッチパネル等の操作表示部４２が設けられている。ここで、操作者はこの操作表示部４２により後述する制御部４０に様々な指令を入力することができるようになっている。また、筐体１２の上面には、硬貨処理装置１０における硬貨の処理履歴や、各収納部３２（３２ａ〜３２ｆ）に収納されている硬貨の金種毎の在高等の情報をレシート等に印刷するためのプリンタ等の印刷部４４が設けられている。
【００２０】
このような硬貨処理装置１０の各構成部材の詳細について以下に説明する。
【００２１】
図１に示すように、筐体１２の上面には、硬貨投入口１８の開閉を行うためのカバー２２が設けられており、このカバー２２を開くことによって操作者は硬貨投入口１８により筐体１２の外部から内部に硬貨を投入することができるようになっている。また、繰出部２０は、鉛直方向に延びる軸を中心として回転する回転円盤を有しており、硬貨投入口１８により筐体１２の外部から内部に投入された硬貨は回転円盤上に集積されるようになる。また、繰出部２０における回転円盤が回転すると、この回転円盤上に集積されている硬貨が搬送部２４に繰り出されるようになっている。
【００２２】
搬送部２４は、複数の突起２４ｃ（後述）が設けられた循環ベルト２４ａ（後述）を複数組み合わせたものからなり、繰出部２０から搬送部２４に繰り出された硬貨は当該搬送部２４により各収納部３２（３２ａ〜３２ｆ）に向かって搬送されるようになっている。このような搬送部２４の構成の詳細については後述する。また、搬送部２４の途中箇所には識別部２６が設けられており、搬送部２４により搬送される硬貨の金種、真偽、正損、新旧、搬送状態等が当該識別部２６により識別されるようになっている。ここで、識別部２６により正常な硬貨ではないと識別された硬貨や識別部２６により識別することができなかった硬貨は、リジェクト分岐部３０により搬送部２４から分岐させられ、この分岐させられた硬貨はリジェクト部２８に送られるようになる。なお、リジェクト部２８は筐体１２の前面から手前側に引き出し可能となっており、操作者はリジェクト部２８を筐体１２の前面から手前側に引き出すことによりこのリジェクト部２８から硬貨を取り出して硬貨投入口１８に再投入等することができるようになっている。
【００２３】
また、識別部２６により正常な硬貨であると識別された硬貨は、各強制分岐部３４（３４ａ〜３４ｆ）により搬送部２４から金種毎に強制的に分岐させられ、この分岐させられた硬貨は各強制分岐部３４（３４ａ〜３４ｆ）に対応する各収納部３２（３２ａ〜３２ｆ）に送られるようになる。このようにして各収納部３２（３２ａ〜３２ｆ）には硬貨が金種別に収納されるようになる。ここで、各収納部３２（３２ａ〜３２ｆ）は、硬貨処理装置１０の筐体１２の幅方向に沿って並ぶよう配置されている。また、本実施の形態による硬貨処理装置１０では、収納部３２は、少なくとも硬貨処理装置１０により処理されるべき硬貨の金種の数だけ設けられており（具体的には、１円硬貨、５円硬貨、１０円硬貨、５０円硬貨、１００円硬貨および５００円硬貨からなる６つの金種に対応して６つ設けられており）、各強制分岐部３４（３４ａ〜３４ｆ）も、各収納部３２（３２ａ〜３２ｆ）に対応して６つ設けられている。また、複数の強制分岐部３４（３４ａ〜３４ｆ）は搬送部２４による硬貨の搬送方向に沿って並ぶよう配置されている。このような各強制分岐部３４（３４ａ〜３４ｆ）の構成の詳細については後述する。
【００２４】
また、筐体１２の前面下部には前扉１４が設置されており、この前扉１４には操作者が把持するための取っ手１４ａが設けられている。そして、操作者が取っ手１４ａを握りながら前扉１４を開くことにより、当該操作者は各収納部３２を筐体１２の前面から手前側に引き出すことができるようになっている。このようにして、操作者は各収納部３２に金種毎に収納されている硬貨を回収することができるようになる。
【００２５】
また、筐体１２の前面における右上箇所には電源スイッチ１６が設けられており、操作者がこの電源スイッチ１６をオンとすることにより硬貨処理装置１０の各構成部材が動作するようになっている。
【００２６】
次に、本実施の形態による硬貨処理装置１０における搬送部２４や各強制分岐部３４（３４ａ〜３４ｆ）の構成の詳細について図３乃至図５を用いて説明する。上述したように、搬送部２４は、複数の突起２４ｃ（図５参照）が等間隔で設けられた循環ベルト２４ａを複数組み合わせたものからなる。なお、図３には、複数の循環ベルト２４ａのうち、各強制分岐部３４（３４ａ〜３４ｆ）の近傍に設けられた循環ベルト２４ａが示されている。図３に示すように、循環ベルト２４ａは複数のプーリ２４ｂに張架されており、複数のプーリ２４ｂのうちある一つのプーリ２４ｂが図示しない駆動モータによって回転駆動されることにより循環ベルト２４ａが図３における時計回りの方向に循環移動するようになっている。また、循環ベルト２４ａが循環移動すると、この循環ベルト２４ａに設けられた突起２４ｃに硬貨が引っ掛けられることにより当該硬貨は突起２４ｃにより押動され、このことにより図３における左右方向に延びる搬送路２４ｅに沿って硬貨が図３における左向きに搬送されるようになる。
【００２７】
図４は、６つの強制分岐部３４（３４ａ〜３４ｆ）のうち上流側に位置する２つの強制分岐部３４ａ、３４ｂを図示している。また、図４および図５において、硬貨は搬送部２４の循環ベルト２４ａにより図４および図５における左方向に搬送されるようになっている。なお、図４では、図面を見やすくするために循環ベルト２４ａの図示を省略している。図４に示すように、６つの強制分岐部３４（３４ａ〜３４ｆ）のうち最も上流側に設けられた強制分岐部３４ａは、搬送部２４の搬送面２４ｄ（図５参照）に設けられた開口２４ｆを塞ぐための振り分け板３５ａと、硬貨検出センサ３６ａとを有している。そして、この強制分岐部３４ａに対応する金種の硬貨が硬貨検出センサ３６ａにより検出されたときに、振り分け板３５ａが駆動され、この振り分け板３５ａは図４における左側端部に設けられた水平方向に延びる軸を中心として開口２４ｆから上方に開くようになる。このことにより、循環ベルト２４ａに設けられた突起２４ｃにより押動されながら搬送される硬貨は、搬送面２４ｄに設けられた開口２４ｆに入り、強制分岐部３４ａに対応する収納部３２ａに送られるようになる。
【００２８】
同様に、６つの強制分岐部３４（３４ａ〜３４ｆ）のうち上流側から２番目に設けられた強制分岐部３４ｂは、搬送部２４の搬送面２４ｄに設けられた開口２４ｇを塞ぐための振り分け板３５ｂと、硬貨検出センサ３６ｂとを有している。そして、この強制分岐部３４ｂに対応する金種の硬貨が硬貨検出センサ３６ｂにより検出されたときに、振り分け板３５ｂが駆動され、この振り分け板３５ｂは図４における左側端部に設けられた水平方向に延びる軸を中心として開口２４ｇから上方に開くようになる。このことにより、循環ベルト２４ａに設けられた突起２４ｃにより押動されながら搬送される硬貨は、搬送面２４ｄに設けられた開口２４ｇに入り、強制分岐部３４ｂに対応する収納部３２ｂに送られるようになる。このような強制分岐部３４ａ、３４ｂでは、振り分け板３５ａ、３５ｂが図４における左側端部に設けられた水平方向に延びる軸を中心として開口２４ｆ、２４ｇから上方に開くような構成となっているため、概して１つの硬貨しか搬送部２４から強制的に分岐させることができないようになっている。なお、６つの強制分岐部３４（３４ａ〜３４ｆ）のうち上流側から３番目〜６番目に設けられた強制分岐部３４ｃ〜３４ｆも、上記の強制分岐部３４ａ、３４ｂと同様の構成となっている。
【００２９】
また、図５に示すように、各強制分岐部３４（３４ａ〜３４ｆ）の近傍には押し付け部３８が各強制分岐部３４（３４ａ〜３４ｆ）に対応して設けられている。各押し付け部３８は、ピンチボール３８ｐと、このピンチボール３８ｐに取り付けられたバネ部材３８ｑ（圧縮バネ）とを有しており、バネ部材３８ｑの上端部分は固定されるようになっている。そして、ピンチボール３８ｐの下方に硬貨が位置していないときには、このピンチボール３８ｐは搬送部２４の搬送面２４ｄに対してわずかな隙間を隔てて浮くようになっている。一方、循環ベルト２４ａに設けられた突起２４ｃにより押動されながら搬送される硬貨がピンチボール３８ｐの下方の位置に到達したときには、この硬貨によりピンチボール３８ｐが上方に押し上げられ、当該硬貨は搬送面２４ｄとピンチボール３８ｐの間の領域を通過するようになる。このように、ピンチボール３８ｐおよびバネ部材３８ｑを含む押し付け部３８が設けられていることにより、各強制分岐部３４（３４ａ〜３４ｆ）により硬貨を搬送部２４から各収納部３２（３２ａ〜３２ｆ）に分岐させるにあたり、搬送部２４の搬送面２４ｄに沿って搬送される硬貨が循環ベルト２４ａの突起２４ｃから搬送方向前方に離間している状態となっていても、このような硬貨がピンチボール３８ｐに接触したときに当該ピンチボール３８ｐが抵抗となって硬貨が搬送方向前方に動かなくなるため、循環移動を行う循環ベルト２４ａの突起２４ｃがこの硬貨に接触するようになる。そして、この硬貨は循環ベルト２４ａの突起２４ｃにより後ろから押動されながら搬送面２４ｄ上で搬送されるようになり、この際に当該硬貨はピンチボール３８ｐの下をくぐるようになる。このように、ピンチボール３８ｐおよびバネ部材３８ｑを含む押し付け部３８により、搬送部２４の搬送面２４ｄに沿って搬送される硬貨が循環ベルト２４ａの突起２４ｃに寄せられるようになるため、当該硬貨の位置が特定されるようになり、よって各強制分岐部３４（３４ａ〜３４ｆ）により硬貨を各収納部３２（３２ａ〜３２ｆ）に分岐させる際に各強制分岐部３４（３４ａ〜３４ｆ）における振り分け板（図４において参照符号３５ａ、３５ｂで表示）の切り替え動作が間に合わなくなってしまうことを防止することができるようになる。
【００３０】
次に、本実施の形態による硬貨処理装置１０における制御系の構成について図６を用いて説明する。本実施の形態による硬貨処理装置１０には、当該硬貨処理装置１０の各構成部材の制御を行う制御部４０が筐体１２の内部に設けられている。ここで、図６に示すように、制御部４０には、繰出部２０、搬送部２４、識別部２６、リジェクト分岐部３０、各強制分岐部３４（３４ａ〜３４ｆ）等がそれぞれ接続されており、識別部２６による硬貨の識別結果に係る信号が制御部４０に送られるとともに、制御部４０から繰出部２０、搬送部２４、リジェクト分岐部３０、各強制分岐部３４（３４ａ〜３４ｆ）等の各構成部材にそれぞれ指令信号が送られることによりこれらの各構成部材が制御されるようになっている。また、図６に示すように、制御部４０には、操作表示部４２、印刷部４４、記憶部４６、電源スイッチ１６および設定手段５０がそれぞれ接続されている。上述したように、操作表示部４２は、例えばタッチパネル等からなり、硬貨処理装置１０における硬貨の処理状況や、各収納部３２（３２ａ〜３２ｆ）に収納されている硬貨の金種毎の在高等の情報を表示するようになっている。また、操作者はこの操作表示部４２により制御部４０に様々な指令を入力することができるようになっている。また、印刷部４４は、硬貨処理装置１０における硬貨の処理履歴や、各収納部３２（３２ａ〜３２ｆ）に収納されている硬貨の金種毎の在高等の情報をレシート等に印刷するようになっている。また、記憶部４６は、硬貨処理装置１０における硬貨の処理履歴や、各収納部３２（３２ａ〜３２ｆ）に収納されている硬貨の金種毎の在高等の情報を記憶するようになっている。
【００３１】
また、設定手段５０は、各強制分岐部３４（３４ａ〜３４ｆ）により搬送部２４から分岐させられるべき硬貨の種類を設定するようになっている。具体的には、設定手段５０は、例えば、各強制分岐部３４（３４ａ〜３４ｆ）により搬送部２４から分岐させられるべき硬貨の金種を設定するようになっており、各強制分岐部３４（３４ａ〜３４ｆ）は、識別部２６により識別された硬貨が、設定手段５０により設定された当該強制分岐部３４（３４ａ〜３４ｆ）に対応する金種である場合には、各強制分岐部３４（３４ａ〜３４ｆ）はこの硬貨を搬送部２４から分岐させて対応する各収納部３２（３２ａ〜３２ｆ）に送るようになっている。このことにより、各収納部３２（３２ａ〜３２ｆ）に硬貨が金種毎に収納されるようになる。
【００３２】
なお、設定手段５０により各強制分岐部３４（３４ａ〜３４ｆ）に対応して設定される硬貨の種類は金種に限定されることはない。設定手段５０により各強制分岐部３４（３４ａ〜３４ｆ）に対応して設定される硬貨の種類として、硬貨のリジェクト要因を設定することができるようになっていてもよい。具体的には、図１および図２に示す硬貨処理装置１０においてリジェクト部２８およびリジェクト分岐部３０の設置を省略することができ、代わりに６つの収納部３２（３２ａ〜３２ｆ）のうち１または複数の収納部３２がリジェクト部として用いられるようになり、設定手段５０により各強制分岐部３４（３４ａ〜３４ｆ）に対応して設定される硬貨のリジェクト要因として、識別異常（例えば、偽硬貨、汚損硬貨、変形硬貨、等）や、搬送異常（例えば、重送、連鎖、等）が設定されるようになっていてもよい。この場合には、リジェクト要因毎に硬貨を複数の収納部３２に分類することができるようになる。なお、設定手段５０により各強制分岐部３４（３４ａ〜３４ｆ）に対応して設定される硬貨の種類として硬貨のリジェクト要因を設定する場合において、リジェクト部２８およびリジェクト分岐部３０の設置を省略することなく、リジェクト部として用いられる１または複数の収納部３２およびリジェクト部２８にリジェクト硬貨をリジェクト要因毎に振り分けるようになっていてもよい。この場合、リジェクト部として用いられる１または複数の収納部３２に振り分けられるリジェクト硬貨のリジェクト要因、およびリジェクト部２８に振り分けられるリジェクト硬貨のリジェクト要因をそれぞれ設定手段５０により設定するようになっていてもよい。
【００３３】
次に、このような構成からなる硬貨処理装置１０の動作（具体的には、硬貨の入金処理）について説明する。
【００３４】
本実施の形態による硬貨処理装置１０を金融機関や店舗等に設置する際に、メンテナンス員が操作表示部４２により各収納部３２（３２ａ〜３２ｆ）に対応する硬貨の種類（具体的には、例えば硬貨の金種）を制御部４０に入力することによって、各強制分岐部３４（３４ａ〜３４ｆ）により搬送部２４から分岐させられるべき硬貨の種類（例えば、硬貨の金種）が設定手段５０により設定される。なお、設定手段５０により上記の設定が行われるのは、本実施の形態による硬貨処理装置１０を金融機関や店舗等に設置する際に限定されることはなく、硬貨処理装置１０において硬貨の入金処理が行われる度に設定手段５０により上記の設定が行われるようになっていてもよい。この場合には、メンテナンス員ではなく操作者が操作表示部４２により各収納部３２（３２ａ〜３２ｆ）に対応する硬貨の種類（具体的には、例えば硬貨の金種）を制御部４０に入力することによって設定手段５０により上記の設定が行われるようになる。
【００３５】
本実施の形態による硬貨処理装置１０において硬貨の入金処理を行う際に、操作者が筐体１２の上面に設けられたカバー２２を開くことによって硬貨投入口１８により筐体１２の外部から内部に硬貨を投入し、操作表示部４２により硬貨の入金処理開始の指令を制御部４０に与えると、繰出部２０における回転円盤が回転し、この回転円盤上に集積されている硬貨が搬送部２４に繰り出される。この際に、搬送部２４の循環ベルト２４ａにおける隣り合う２つの突起２４ｃの間に最大で１つの硬貨が入れられるようになっており、この１つの硬貨が突起２４ｃによって押動されることにより当該硬貨は搬送部２４により搬送されるようになる。また、搬送部２４により搬送される硬貨は識別部２６によりその金種、真偽、正損、新旧、搬送状態等が識別される。ここで、識別部２６により正常な硬貨ではないと識別された硬貨や識別部２６により識別することができなかった硬貨は、リジェクト分岐部３０により搬送部２４から分岐させられ、この分岐させられた硬貨はリジェクト部２８に送られるようになる。また、リジェクト部２８は筐体１２の前面から手前側に引き出し可能となっており、操作者はリジェクト部２８を筐体１２の前面から手前側に引き出すことによりこのリジェクト部２８から硬貨を取り出して硬貨投入口１８に再投入等することができるようになる。
【００３６】
また、識別部２６により正常な硬貨であると識別された硬貨は、各強制分岐部３４（３４ａ〜３４ｆ）により搬送部２４から金種毎に強制的に分岐させられ、この分岐させられた硬貨は各強制分岐部３４（３４ａ〜３４ｆ）に対応する各収納部３２（３２ａ〜３２ｆ）に送られるようになる。より詳細には、各強制分岐部３４（３４ａ〜３４ｆ）により搬送部２４から分岐させられるべき硬貨の金種が設定手段５０により設定されている場合には、各強制分岐部３４（３４ａ〜３４ｆ）は、識別部２６により識別された硬貨が、設定手段５０により設定された当該強制分岐部３４（３４ａ〜３４ｆ）に対応する金種であるときに、各強制分岐部３４（３４ａ〜３４ｆ）はこの硬貨を搬送部２４から分岐させて対応する各収納部３２（３２ａ〜３２ｆ）に送る。このようにして各収納部３２（３２ａ〜３２ｆ）には硬貨が金種毎に収納されるようになる。そして、繰出部２０から全ての硬貨が搬送部２４に繰り出されてリジェクト部２８や各収納部３２（３２ａ〜３２ｆ）に送られると硬貨処理装置１０における硬貨の入金処理が完了する。
【００３７】
以上のような構成からなる本実施の形態の硬貨処理装置１０によれば、搬送部２４により搬送される硬貨を当該搬送部２４から強制的に分岐させるための強制分岐部３４（３４ａ〜３４ｆ）を設けるとともに、強制分岐部３４（３４ａ〜３４ｆ）により搬送部２４から分岐させられるべき硬貨の種類を設定手段５０により設定することにより、強制分岐部３４（３４ａ〜３４ｆ）により搬送部２４から分岐させられた硬貨を収納する例えば金種毎の収納部３２（３２ａ〜３２ｆ）の配置に柔軟性を持たせることができ、よって金融機関等の運用や操作者のニーズに合った運用を行うことができるため使い勝手を良好なものとすることができる。例えば、本実施の形態による硬貨処理装置１０が設置される金融機関や店舗等において特定の金種の硬貨が当該硬貨処理装置１０に数多く入金されると想定される場合には、硬貨処理装置１０を金融機関や店舗等に設置する際に、この特定の金種を複数の収納部３２に割り当てるよう、各強制分岐部３４（３４ａ〜３４ｆ）により搬送部２４から分岐させられるべき硬貨の金種を設定手段５０により設定する。このことにより、硬貨処理装置１０においてこの特定の金種の硬貨の収納量が他の金種の硬貨の収納量よりも多くなるため、特定の金種の硬貨が当該硬貨処理装置１０に数多く入金される場合でも、この金種の硬貨を収納する収納部３２が満杯となってしまうことにより当該収納部３２を筐体１２から手前側に引き出してこの金種の硬貨を回収する頻度を少なくすることができ、よって硬貨の入金処理にかかる時間を短縮することができるとともに操作者の作業負担を軽減することができるようになる。
【００３８】
また、本実施の形態の硬貨処理装置１０においては、上述したように、設定手段５０により、強制分岐部３４（３４ａ〜３４ｆ）により搬送部２４から分岐させられるべき硬貨の種類として硬貨の金種が設定されるようになっており、強制分岐部３４（３４ａ〜３４ｆ）は、少なくとも硬貨処理装置１０により処理されるべき硬貨の金種の数だけ設けられており、複数の強制分岐部３４（３４ａ〜３４ｆ）は搬送部２４による硬貨の搬送方向に沿って並ぶよう配置されている。
【００３９】
また、本実施の形態の硬貨処理装置１０においては、上述したように、設定手段５０は、強制分岐部３４（３４ａ〜３４ｆ）により搬送部２４から分岐させられるべき硬貨の種類として硬貨のリジェクト要因も設定することができるようになっていてもよい。この場合には、リジェクト要因毎に硬貨を搬送部２４から強制分岐部３４により分岐させることによって複数の収納部３２に硬貨をリジェクト要因毎に分類することができるようになる。このことにより、各収納部３２にリジェクト硬貨として収納された硬貨について、硬貨投入口１８に再投入可能なものであるか否かを収納部３２毎に判断することができるようになり、よってリジェクト硬貨を硬貨投入口１８に何度も再投入する手間を省くことができるようになる。
【００４０】
また、本実施の形態の硬貨処理装置１０においては、設定手段５０は、リジェクト分岐部３０により搬送部２４からリジェクト部２８に分岐させられるべき硬貨の種類として、硬貨投入口１８に再投入してもリジェクトされるようなリジェクト要因（例えば、偽硬貨、汚損硬貨、変形硬貨、等の識別異常）を設定し、また、複数の収納部３２のうちある収納部３２に対応する強制分岐部３４により搬送部２４から分岐させられるべき硬貨の種類として、硬貨投入口１８に再投入することで硬貨の金種毎の選別を行うことができるようなリジェクト要因（例えば、重送、連鎖、等の搬送異常）を設定し、さらに、他の収納部３２に対応する強制分岐部３４により搬送部２４から分岐させられるべき硬貨の種類として硬貨の金種を設定するようになっていてもよい。また、この場合には、設定手段５０は、他の収納部３２に設定されなかった金種を、最後に設定する収納部３２に自動的に設定するようになっていてもよい。この際に、他の収納部３２に設定されなかった金種が複数存在する場合には、この複数の金種の硬貨が最後に設定する収納部３２に混合状態で収納されるよう設定手段５０が設定を行うようになっていてもよい。具体的に説明すると、リジェクト部２８には偽硬貨、汚損硬貨、変形硬貨、等の識別異常に関する硬貨が収納され、収納部３２ａには重送、連鎖、等の搬送異常に関する硬貨が収納され、収納部３２ｂ、３２ｃには例えば１０円硬貨が収納され、収納部３２ｄ、３２ｅには例えば１００円硬貨が収納され、収納部３２ｆには１円硬貨、５円硬貨、５０円硬貨および５００円硬貨が混合状態で収納されるよう設定手段５０が設定を行うようになっていてもよい。また、更に別の例として、収納部３２ｂ〜３２ｅについては硬貨の各金種を割り当て、収納部３２ｆについては残りの金種の硬貨が混合して収納されるよう設定手段５０が設定を行うようにしてもよい。
【００４１】
また、本実施の形態の硬貨処理装置１０においては、上述したように、搬送部２４は、循環ベルト２４ａ（線状部材）と、循環ベルト２４ａの長手方向に沿って並ぶよう当該循環ベルト２４ａに設けられた複数の突起２４ｃとを有しており、循環ベルト２４ａが長手方向に沿って移動することによって突起２４ｃにより硬貨が押動されることにより硬貨が搬送されるようになっている。
【００４２】
なお、本実施の形態による硬貨処理装置は、上述したような態様に限定されることはなく、様々な変更を加えることができる。
【００４３】
例えば、本実施の形態による硬貨処理装置として、図７および図８に示すような構成のものが用いられてもよい。ここで、図７は、変形例に係る硬貨処理装置１１０の内部構成を概略的に示す概略構成図であり、図８は、図７に示す硬貨処理装置１１０における制御系の構成を示す機能ブロック図である。このような変形例に係る硬貨処理装置１１０について以下に説明する。
【００４４】
図７に示すように、変形例に係る硬貨処理装置１１０は、略直方体形状の筐体１１２と、筐体１１２の上面に設けられ、当該筐体１１２の外部から内部に硬貨を投入するための硬貨投入口１１８と、硬貨投入口１１８により筐体１１２の内部に投入された硬貨を繰り出す繰出部１２０と、繰出部１２０により繰り出された硬貨を搬送する搬送部１２４とを備えている。搬送部１２４は、図１乃至図６に示す硬貨処理装置１０における搬送部２４と同様に、複数の突起が設けられた循環ベルトを複数組み合わせたものからなり、繰出部１２０から搬送部１２４に繰り出された硬貨は当該搬送部１２４により各収納部１３２（１３２ａ〜１３２ｆ）に向かって搬送されるようになっている。
【００４５】
また、搬送部１２４には、当該搬送部１２４により搬送される硬貨の金種、真偽、正損、新旧、搬送状態等を識別する識別部１２６が設けられている。また、搬送部１２４による硬貨の搬送方向における識別部１２６の下流側には、当該搬送部１２４により搬送される硬貨を停止させる停止部１２７が設けられている。また、筐体１１２の内部には、硬貨を金種別に収納する複数（具体的には、例えば６つ）の収納部１３２（１３２ａ〜１３２ｆ）および識別部１２６により正常な硬貨ではないと識別された硬貨や識別部１２６により識別することができなかった硬貨が収納されるリジェクト部１２８がそれぞれ設けられている。各収納部１３２（１３２ａ〜１３２ｆ）およびリジェクト部１２８はそれぞれ筐体１１２の前面から手前側に引き出し可能な収納ボックス等からなる。
【００４６】
また、搬送部１２４による硬貨の搬送方向における識別部１２６の下流側には、当該搬送部１２４により搬送される硬貨をリジェクト部１２８に分岐させるためのリジェクト分岐部１３０が設けられており、また、搬送部１２４による硬貨の搬送方向におけるリジェクト分岐部１３０の更に下流側には、当該搬送部１２４により搬送される硬貨を各収納部１３２（１３２ａ〜１３２ｆ）にそれぞれ強制的に分岐させるための複数（具体的には、例えば６つ）の収納用強制分岐部１３４（１３４ａ〜１３４ｆ）が設けられている。ここで、図７に示す変形例に係る硬貨処理装置１１０における搬送部１２４や収納用強制分岐部１３４（１３４ａ〜１３４ｆ）の構成は、図１乃至図６に示す硬貨処理装置１０における搬送部２４や強制分岐部３４（３４ａ〜３４ｆ）の構成と略同一となっている。
【００４７】
また、変形例に係る硬貨処理装置１１０では硬貨の入金処理に加えて計数処理を行うことができるようになっている。また、変形例に係る硬貨処理装置１１０において、計数処理が行われた硬貨は筐体１１２の内部から外部に投出されるようになっている。また、変形例に係る硬貨処理装置１１０には、計数処理が行われた後に筐体１１２の内部から外部に投出された硬貨を受ける硬貨受け部１３６（例えば、硬貨を収納する収納トレイ（具体的には、カルトン）や収納袋）が設けられている。また、搬送部１２４には、当該搬送部１２４により搬送される硬貨を搬送部１２４から分岐させて硬貨受け部１３６に送る計数用強制分岐部１３８が設けられている。このような計数用強制分岐部１３８は、搬送部１２４による硬貨の搬送方向におけるリジェクト分岐部１３０よりも下流側かつ各収納用強制分岐部１３４（１３４ａ〜１３４ｆ）よりも上流側の位置に設けられている。また、各収納用強制分岐部１３４（１３４ａ〜１３４ｆ）は、概して１つの硬貨しか搬送部１２４から強制的に分岐させることができないのに対し、計数用強制分岐部１３８は、複数の硬貨をまとめて搬送部１２４から強制的に分岐させることができるようになっている。本実施の形態では、各収納用強制分岐部１３４（１３４ａ〜１３４ｆ）および計数用強制分岐部１３８を組み合わせることにより、搬送部１２４により搬送される硬貨を当該搬送部１２４から強制的に分岐させるための強制分岐部が構成されている。
【００４８】
また、筐体１１２の外面には、硬貨処理装置１１０における硬貨の処理状況や、各収納部１３２（１３２ａ〜１３２ｆ）に収納されている硬貨の金種毎の在高等の情報を表示するタッチパネル等の操作表示部１４２（図８参照）が設けられている。ここで、操作者はこの操作表示部１４２により後述する制御部１４０に様々な指令を入力することができるようになっている。また、筐体１１２の上面には、硬貨処理装置１１０における硬貨の処理履歴や、各収納部１３２（１３２ａ〜１３２ｆ）に収納されている硬貨の金種毎の在高等の情報をレシート等に印刷するためのプリンタ等の印刷部１４４（図８参照）が設けられている。
【００４９】
次に、変形例に係る硬貨処理装置１１０における制御系の構成について図８を用いて説明する。変形例に係る硬貨処理装置１１０には、当該硬貨処理装置１１０の各構成部材の制御を行う制御部１４０が筐体１１２の内部に設けられている。ここで、図８に示すように、制御部１４０には、繰出部１２０、搬送部１２４、識別部１２６、停止部１２７、リジェクト分岐部１３０、各収納用強制分岐部１３４（１３４ａ〜１３４ｆ）、計数用強制分岐部１３８等がそれぞれ接続されており、識別部１２６による硬貨の識別結果に係る信号が制御部１４０に送られるとともに、制御部１４０から繰出部１２０、搬送部１２４、停止部１２７、リジェクト分岐部１３０、各収納用強制分岐部１３４（１３４ａ〜１３４ｆ）、計数用強制分岐部１３８等の各構成部材にそれぞれ指令信号が送られることによりこれらの各構成部材が制御されるようになっている。また、図８に示すように、制御部１４０には、操作表示部１４２、印刷部１４４、記憶部１４６、電源スイッチ１１６、設定手段１５０および処理モード選択手段１５２がそれぞれ接続されている。上述したように、操作表示部１４２は、例えばタッチパネル等からなり、硬貨処理装置１１０における硬貨の処理状況や、各収納部１３２（１３２ａ〜１３２ｆ）に収納されている硬貨の金種毎の在高等の情報を表示するようになっている。また、操作者はこの操作表示部１４２により制御部１４０に様々な指令を入力することができるようになっている。また、印刷部１４４は、硬貨処理装置１１０における硬貨の処理履歴や、各収納部１３２（１３２ａ〜１３２ｆ）に収納されている硬貨の金種毎の在高等の情報をレシート等に印刷するようになっている。また、記憶部１４６は、硬貨処理装置１１０における硬貨の処理履歴や、各収納部１３２（１３２ａ〜１３２ｆ）に収納されている硬貨の金種毎の在高等の情報を記憶するようになっている。また、電源スイッチ１１６は筐体１１２の例えば前面に設けられており、操作者がこの電源スイッチ１１６をオンとすることにより硬貨処理装置１１０の各構成部材が動作するようになっている。
【００５０】
また、設定手段１５０は、各収納用強制分岐部１３４（１３４ａ〜１３４ｆ）により搬送部１２４から分岐させられるべき硬貨の種類を設定するようになっている。具体的には、設定手段１５０は、例えば、各収納用強制分岐部１３４（１３４ａ〜１３４ｆ）により搬送部１２４から分岐させられるべき硬貨の金種を設定するようになっており、各収納用強制分岐部１３４（１３４ａ〜１３４ｆ）は、識別部１２６により識別された硬貨が、設定手段１５０により設定された当該収納用強制分岐部１３４（１３４ａ〜１３４ｆ）に対応する金種である場合には、各収納用強制分岐部１３４（１３４ａ〜１３４ｆ）はこの硬貨を搬送部１２４から分岐させて対応する各収納部１３２（１３２ａ〜１３２ｆ）に送るようになっている。このことにより、各収納部１３２（１３２ａ〜１３２ｆ）に硬貨が金種毎に収納されるようになる。
【００５１】
変形例に係る硬貨処理装置１１０では、搬送部１２４により搬送される硬貨を識別部１２６による識別結果に基づいて各収納用強制分岐部１３４（１３４ａ〜１３４ｆ）により収納部１３２（１３２ａ〜１３２ｆ）に収納させる収納モード、および搬送部１２４により搬送される硬貨を識別部１２６により計数して計数用強制分岐部１３８により各収納部１３２以外の箇所（具体的には、硬貨受け部１３６）に送る計数モードのうち何れかの処理モードで硬貨の処理を行うことができるようになっている。より詳細には、操作者は、収納モードおよび計数モードのうちどちらの処理モードで硬貨の処理モードを行うかについて、操作表示部１４２により制御部１４０に入力することができるようになっており、処理モード選択手段１５２は、操作者によって操作表示部１４２により制御部１４０に入力された情報に基づいて、上記の収納モードおよび計数モードのうち何れかの処理モードを選択するようになる。
【００５２】
また、変形例に係る硬貨処理装置１１０では、処理モード選択手段１５２により収納モードが選択された場合には、搬送部１２４の循環ベルトにおける隣り合う２つの突起の間に最大で１つの硬貨が入れられるようになっており、この１つの硬貨が突起によって押動されることにより当該硬貨は搬送部１２４により搬送されるようになる。上述したように、各収納用強制分岐部１３４（１３４ａ〜１３４ｆ）は、概して１つの硬貨しか搬送部１２４から強制的に分岐させることができないため、搬送部１２４の循環ベルトにおける隣り合う２つの突起の間に複数の硬貨を入れてしまうと、各収納用強制分岐部１３４（１３４ａ〜１３４ｆ）により硬貨が搬送部１２４から分岐される際に詰まり等のトラブルが生じてしまうおそれがあるからである。これに対し、処理モード選択手段１５２により計数モードが選択された場合には、搬送部１２４の循環ベルトにおける隣り合う２つの突起の間に複数の硬貨が入れられるようになっており、これらの複数の硬貨が突起によって押動されることにより当該硬貨は搬送部１２４により搬送されるようになる。上述したように、計数用強制分岐部１３８は、複数の硬貨をまとめて搬送部１２４から強制的に分岐させることができるような構造となっているため、搬送部１２４の循環ベルトにおける隣り合う２つの突起の間に複数の硬貨を入れても計数用強制分岐部１３８において硬貨の詰まり等のトラブルが生じることはない。このように、処理モード選択手段１５２により計数モードが選択された場合には、搬送部１２４の循環ベルトにおける隣り合う２つの突起の間に複数の硬貨を入れることにより硬貨の計数処理を迅速に行うことができるようになる。
【００５３】
次に、このような構成からなる、変形例に係る硬貨処理装置１１０の動作について説明する。
【００５４】
変形例に係る硬貨処理装置１１０を金融機関や店舗等に設置する際に、メンテナンス員が操作表示部１４２により各収納部１３２（１３２ａ〜１３２ｆ）に対応する硬貨の種類（具体的には、例えば硬貨の金種）を制御部１４０に入力することによって、各収納用強制分岐部１３４（１３４ａ〜１３４ｆ）により搬送部１２４から分岐させられるべき硬貨の種類（例えば、硬貨の金種）が設定手段１５０により設定される。
【００５５】
変形例に係る硬貨処理装置１１０において硬貨の入金処理を行う際に、操作者はまず操作表示部１４２により硬貨の入金処理を行う旨の指令を制御部１４０に入力する。このことにより、処理モード選択手段１５２によって、硬貨処理装置１１０における硬貨の処理モードとして収納モードが選択される。その後、操作者が筐体１１２の上面に設けられたカバーを開くことによって硬貨投入口１１８により筐体１１２の外部から内部に硬貨を投入し、操作表示部１４２により硬貨の入金処理開始の指令を制御部１４０に与えると、繰出部１２０から搬送部１２４に硬貨が繰り出される。この際に、搬送部１２４の循環ベルトにおける隣り合う２つの突起の間に最大で１つの硬貨が入れられるようになり、この１つの硬貨が突起によって押動されることにより当該硬貨は搬送部１２４により搬送されるようになる。また、搬送部１２４により搬送される硬貨は識別部１２６によりその金種、真偽、正損、新旧、搬送状態等が識別される。ここで、識別部１２６により正常な硬貨ではないと識別された硬貨や識別部１２６により識別することができなかった硬貨は、リジェクト分岐部１３０により搬送部１２４から分岐させられ、この分岐させられた硬貨はリジェクト部１２８に送られるようになる。また、リジェクト部１２８は筐体１１２の前面から手前側に引き出し可能となっており、操作者はリジェクト部１２８を筐体１１２の前面から手前側に引き出すことによりこのリジェクト部１２８から硬貨を取り出して硬貨投入口１１８に再投入等することができるようになる。
【００５６】
また、識別部１２６により正常な硬貨であると識別された硬貨は、各収納用強制分岐部１３４（１３４ａ〜１３４ｆ）により搬送部１２４から金種毎に強制的に分岐させられ、この分岐させられた硬貨は各収納用強制分岐部１３４（１３４ａ〜１３４ｆ）に対応する各収納部１３２（１３２ａ〜１３２ｆ）に送られるようになる。より詳細には、各収納用強制分岐部１３４（１３４ａ〜１３４ｆ）により搬送部１２４から分岐させられるべき硬貨の金種が設定手段１５０により設定されている場合には、各収納用強制分岐部１３４（１３４ａ〜１３４ｆ）は、識別部１２６により識別された硬貨が、設定手段１５０により設定された当該収納用強制分岐部１３４（１３４ａ〜１３４ｆ）に対応する金種であるときに、各収納用強制分岐部１３４（１３４ａ〜１３４ｆ）はこの硬貨を搬送部１２４から分岐させて対応する各収納部１３２（１３２ａ〜１３２ｆ）に送る。このようにして各収納部１３２（１３２ａ〜１３２ｆ）には硬貨が金種毎に収納されるようになる。そして、繰出部１２０から全ての硬貨が搬送部１２４に繰り出されてリジェクト部１２８や各収納部１３２（１３２ａ〜１３２ｆ）に送られると硬貨処理装置１１０における硬貨の入金処理が完了する。
【００５７】
また、変形例に係る硬貨処理装置１１０において硬貨の計数処理を行う際に、操作者はまず操作表示部１４２により硬貨の計数処理を行う旨の指令を制御部１４０に入力する。このことにより、処理モード選択手段１５２によって、硬貨処理装置１１０における硬貨の処理モードとして計数モードが選択される。その後、操作者が筐体１１２の上面に設けられたカバーを開くことによって硬貨投入口１１８により筐体１１２の外部から内部に硬貨を投入し、操作表示部１４２により硬貨の入金処理開始の指令を制御部１４０に与えると、繰出部１２０から搬送部１２４に硬貨が繰り出される。この際に、搬送部１２４の循環ベルトにおける隣り合う２つの突起の間に複数の硬貨が入れられるようになり、複数の硬貨が突起によって押動されることにより当該硬貨は搬送部１２４により搬送されるようになる。また、搬送部１２４により搬送される硬貨は識別部１２６によりその金種、真偽、正損、新旧、搬送状態等が識別される。ここで、識別部１２６により正常な硬貨ではないと識別された硬貨や識別部１２６により識別することができなかった硬貨は、リジェクト分岐部１３０により搬送部１２４から分岐させられ、この分岐させられた硬貨はリジェクト部１２８に送られるようになる。また、リジェクト部１２８は筐体１１２の前面から手前側に引き出し可能となっており、操作者はリジェクト部１２８を筐体１１２の前面から手前側に引き出すことによりこのリジェクト部１２８から硬貨を取り出して硬貨投入口１１８に再投入等することができるようになる。
【００５８】
また、識別部１２６により正常な硬貨であると識別された硬貨は、計数用強制分岐部１３８により搬送部１２４から強制的に分岐させられ、この分岐させられた硬貨は筐体１１２の内部から外部に投出されて硬貨受け部１３６に送られるようになる。このようにして、操作者は計数済の硬貨を硬貨受け部１３６から取り出すことができるようになる。そして、繰出部１２０から全ての硬貨が搬送部１２４に繰り出されてリジェクト部１２８や硬貨受け部１３６に送られると硬貨処理装置１１０における硬貨の計数処理が完了する。
【００５９】
なお、変形例に係る硬貨処理装置１１０において硬貨の計数処理が行われる際に、識別部１２６による識別結果に基づく、搬送部１２４の循環ベルトにおける隣り合う２つの突起の間に入れられる複数の硬貨の金種が互いに異なる場合には、これらの複数の硬貨がリジェクト分岐部１３０により搬送部１２４から分岐させられてリジェクト部１２８に送られ、このリジェクト部１２８によりリジェクトされるようになっている。変形例に係る硬貨処理装置１１０では概ね金種毎に硬貨の計数処理が行われるようになっているが、複数の金種の硬貨を混合状態で誤って硬貨投入口１１８に投入してしまった場合には、搬送部１２４の循環ベルトにおける隣り合う２つの突起の間に入れられる複数の硬貨の金種が互いに異なるようになる。この場合に、搬送部１２４により搬送される硬貨を計数用強制分岐部１３８により搬送部１２４から分岐させて硬貨受け部１３６に送るようにすると硬貨受け部１３６において複数の金種の硬貨が混合状態で収納されるようになってしまい、操作者は硬貨受け部１３６に収納されている硬貨を金種毎に分類するのに手間がかかってしまう。このため、搬送部１２４の循環ベルトにおける隣り合う２つの突起の間に入れられる複数の硬貨の金種が互いに異なる場合には、これらの硬貨をリジェクト部１２８によりリジェクトすることによって、硬貨受け部１３６に収納されている硬貨を金種毎に分類する手間を省くことができるようになり、操作者にとっての作業性を向上させることができるようになる。
【００６０】
なお、変形例に係る硬貨処理装置１１０において硬貨の計数処理が行われる際に、硬貨受け部１３６に送られた硬貨の枚数が所定の枚数（具体的には、硬貨受け部１３６における硬貨の収納量）を超えた場合には、搬送部１２４により搬送される硬貨が停止部１２７によって停止させられるようになる。このことにより、硬貨受け部１３６が満杯状態であるときに、計数用強制分岐部１３８により搬送部１２４から硬貨が分岐させられて硬貨受け部１３６に硬貨が更に送られてしまうことが防止されるため、硬貨受け部１３６から硬貨があふれてしまうことを防止することができるようになる。
【００６１】
図７等に示すような変形例に係る硬貨処理装置１１０でも、図１乃至図６に示す硬貨処理装置１０と同様に、搬送部１２４により搬送される硬貨を当該搬送部１２４から強制的に分岐させるための収納用強制分岐部１３４（１３４ａ〜１３４ｆ）を設けるとともに、収納用強制分岐部１３４（１３４ａ〜１３４ｆ）により搬送部１２４から分岐させられるべき硬貨の種類を設定手段１５０により設定することにより、収納用強制分岐部１３４（１３４ａ〜１３４ｆ）により搬送部１２４から分岐させられた硬貨を収納する例えば金種毎の収納部１３２（１３２ａ〜１３２ｆ）の配置に柔軟性を持たせることができ、よって金融機関等の運用や操作者のニーズに合った運用を行うことができるため使い勝手を良好なものとすることができる。
【００６２】
また、本実施の形態による硬貨処理装置として、図１乃至図６に示す硬貨処理装置１０や図７および図８に示す硬貨処理装置１１０以外の構成のものが用いられてもよい。例えば、更なる変形例に係る硬貨処理装置において、搬送部により搬送される硬貨が強制分岐部により強制的に分岐させられた後、この搬送部から分岐させられた硬貨が一時保留部に送られて当該一時保留部において一時的に保留されるようになっていてもよい。そして、硬貨投入口に投入された硬貨が全て筐体の内部に繰り出されて一時保留部またはリジェクト部に送られた後、操作者が入金確定の指令を操作表示部によって制御部に入力することにより、一時保留部において一時的に保留されている硬貨が当該一時保留部から収納部に送られるようになっていてもよい。また、このような硬貨処理装置では、硬貨投入口に投入された硬貨が全て筐体の内部に繰り出されて一時保留部またはリジェクト部に送られた後、操作者が入金確定の指令の代わりに返却の指令を操作表示部によって制御部に入力すると、一時保留部において一時的に保留されている硬貨が当該一時保留部から筐体の外部に投出され、操作者はこの投出された硬貨を返却硬貨として受け取ることができるようになる。
【符号の説明】
【００６３】
１０    硬貨処理装置
１２    筐体
１４    前扉
１４ａ  取っ手
１６    電源スイッチ
１８    硬貨投入口
２０    繰出部
２２    カバー
２４    搬送部
２４ａ  循環ベルト
２４ｂ  プーリ
２４ｃ  突起
２４ｄ  搬送面
２４ｅ  搬送路
２４ｆ、２４ｇ  開口
２６    識別部
２８    リジェクト部
３０    リジェクト分岐部
３２（３２ａ〜３２ｆ）  収納部
３４（３４ａ〜３４ｆ）  強制分岐部
３５ａ、３５ｂ  振り分け板
３６ａ、３６ｂ  硬貨検出センサ
３８    押し付け部
３８ｐ  ピンチボール
３８ｑ  バネ部材
４０    制御部
４２    操作表示部
４４    印刷部
４６    記憶部
５０    設定手段
１１０  硬貨処理装置
１１２  筐体
１１６  電源スイッチ
１１８  硬貨投入口
１２０  繰出部
１２４  搬送部
１２６  識別部
１２７  停止部
１２８  リジェクト部
１３０  リジェクト分岐部
１３２（１３２ａ〜１３２ｆ）  収納部
１３４（１３４ａ〜１３４ｆ）  収納用強制分岐部
１３６  硬貨受け部
１３８  計数用強制分岐部
１４０  制御部
１４２  操作表示部
１４４  印刷部
１４６  記憶部
１５０  設定手段
１５２  処理モード選択手段
【図１】
2017037393.tif 000003
【図２】
2017037393.tif 000004
【図３】
2017037393.tif 000005
【図４】
2017037393.tif 000006
【図５】
2017037393.tif 000007
【図６】
2017037393.tif 000008
【図７】
2017037393.tif 000009
【図８】
2017037393.tif 000010